(57)【要約】【課題】道路付帯設備としての道路標識等に、光の反射機能と電波吸収機能とを具備させた電波吸収体を提供する。【解決手段】電波吸収体１は、誘電体層２と電波反射層３とを積層させて電波吸収層４を構成し、この電波吸収層の電波到来方向Ｘの表面層、即ち、誘電体層２の表面に接着剤等を介して光反射層５を設けて一体的に構成してある。  前記光反射層５としては、電波を透過する材料、例えば、住友スリーエム社製のスコッチライト反射シート（商標名）６０６０ホワイトを使用し、誘電体層２の材料としては、例えば、導電性酸化チタン（石原産業（株）製：ＦＴ−２０００）及び／または導電性カーボンブラック（日本イーシー社製，商品名「ケッチェンブラック」）を基材に配合した組成物で構成し、基材としては、熱硬化性樹脂（例えば、エポキシ樹脂、ポリウレタン樹脂、ポリエステル樹脂、フェノール樹脂、等の中ら適宜選ばれる）を使用する。【選択図】  図１
2004278226.tif 000002
【特許請求の範囲】
【請求項１】
誘電体層と電波反射層とを積層させて電波吸収層を構成して成る電波吸収体において、
電波吸収層の電波到来方向の表面層に光反射層を設けたことを特徴とする電波吸収体。
【請求項２】
前記光反射層は、電波を透過する材料で構成され、誘電体層の表面に一体的に配設した請求項１に記載の電波吸収体。
【請求項３】
前記誘電体層は、導電性酸化チタン及び／または導電性カーボンブラックを配合した組成物から成る請求項１または２に記載の電波吸収体。
【請求項４】
前記誘電体層は、電気的な特性に対応して任意の厚さに形成する請求項１，２または３に記載の電波吸収体。
【発明の詳細な説明】
【０００１】
【発明の属する技術分野】
この発明は、電波吸収体に係わり、更に詳しくは誘電体層と電波反射層とを積層させた整合型の電波吸収体の表面に光反射層を設けた電波吸収体に関するものである。
【０００２】
【従来の技術】
近年、自動車の走行支援道路システム（ＡＨＳ：Ａｄｖａｎｃｅｄ  Ｃｒｕｉｓｅ−Ａｓｓｉｓｔ  Ｈｉｇｈｗａｙ  Ｓｙｓｔｅｍ）では、路車間通信や車々間通信の電磁波を利用して行われており、この走行支援道路システムを目的とした路車間通信ゾーン内において、道路付帯設備に電波吸収性能を具備させた発明が提案されている（例えば、特許文献１参照。）
【０００３】
【特許文献１】
特開２００２−６１１３０号公報（第７〜第８頁、図４（イ）〜（ハ））
【０００４】
【発明が解決しようとする課題】
上記走行支援道路システムにおける車間距離測定用の自動車車載レーダにおいては、道路付帯設備としての道路標識やガードレール等からの電波の散乱波により電波障害が発生する可能性がある。しかし、現在の道路付帯設備には、光の反射機能と電波吸収機能を併せもつものは存在しない。
【０００５】
この発明はかかる従来の問題点に着目し、道路付帯設備としての道路標識等に、光の反射機能と電波吸収機能とを具備させた電波吸収体を提供することを目的とするものである。
【０００６】
【課題を解決するための手段】
この発明は上記目的を達成するため、誘電体層と電波反射層とを積層させて電波吸収層を構成して成る電波吸収体において、電波吸収層の電波到来方向の表面層に光反射層を設けたことを要旨とするものである。
【０００７】
ここで、前記光反射層は、電波を透過する材料で構成され、誘電体層の表面に一体的に配設するもので、前記誘電体層は、導電性酸化チタン及び／または導電性カーボンブラックを配合した組成物から成るものである。また、前記誘電体層は、電気的な特性に対応して任意の厚さに形成する。
【０００８】
このように、電波吸収層の電波到来方向の表面層に光反射層を設けたことにより、道路付帯設備としての道路標識等に、光の反射機能と電波吸収機能とを具備させることが可能となり、電波の散乱波による電波障害を有効に防止することが出来るものである。
【０００９】
【発明の実施の形態】
以下、添付図面に基づき、この発明の実施形態を説明する。
【００１０】
図１は、この発明を実施した電波吸収体の断面図を示し、この電波吸収体１は、誘電体層２と電波反射層３とを積層させて電波吸収層４を構成し、この電波吸収層の電波到来方向Ｘの表面層、即ち、誘電体層２の表面に接着剤等を介して光反射層５を設けて一体的に構成してある。
【００１１】
前記光反射層５としては、電波を透過する材料、例えば、住友スリーエム社製のスコッチライト反射シート（商標名）６０６０ホワイトを使用し、誘電体層２の材料としては、例えば、導電性酸化チタン（石原産業（株）製：ＦＴ−２０００）及び／または導電性カーボンブラック（日本イーシー社製，商品名「ケッチェンブラック」）を基材に配合した組成物で構成し、基材としては、熱硬化性樹脂（例えば、エポキシ樹脂、ポリウレタン樹脂、ポリエステル樹脂、フェノール樹脂、等の中から適宜選ばれる）を使用する。
【００１２】
更に電波反射層３の材料としては、電波を全反射する金属製の板状部材（例えば、アルミニム板等）の他、アルミニム箔，金網，金属蒸着膜、導電性インク塗布材等を使用するものである。
【００１３】
図２は、車間距離測定用レーダの使用周波数として想定される６０ＧＨｚ  （第１実施例）または７６ＧＨｚ  （第２実施例）で電波吸収性能を発揮できるように構成した電波吸収体の電波吸収性能〔ｄＢ〕の測定結果を示している。
【００１４】
第１実施例の６０ＧＨｚ  対応の電波吸収体の構成としては、基材（エポキシ樹脂）に配合する導電性酸化チタンの配合量は、８．６（ｐｈｒ）    、ケッチェンブラックの配合量は、１．１（ｐｈｒ）、誘電体層２の厚さは、１．４（ｍｍ）  、光反射層５（住友スリーエム社製のスコッチライト反射シート（商標名）６０６０ホワイト）の厚さは、０．３ｍｍ  としたものである。
【００１５】
また第２実施例の７６ＧＨｚ  対応の電波吸収体の構成としては、基材（エポキシ樹脂）に配合する導電性酸化チタンの配合量は、４．０（ｐｈｒ）    、ケッチェンブラックの配合量は、１．６（ｐｈｒ）、誘電体層２の厚さは、１．２（ｍｍ）  、光反射層５（住友スリーエム社製のスコッチライト反射シート（商標名）６０６０ホワイト）の厚さは、０．３ｍｍ  としたものである。
【００１６】
このような構成から成る第１実施例及び第２実施例の電波吸収体１の電波吸収性能を、反射電力法で５０〜１１０ＧＨｚ  において、入射角度４°、ＴＥ波（偏波）で測定した結果、図２に示すような測定結果を得ることが出来た。    即ち、図２から明らかなように、吸収性能の最大値を示す周波数に若干の差異があるももの、６０ＧＨｚ  または７６ＧＨｚ  に対応の電波吸収性体を得ることが出来ることが確認できた。
【００１７】
また、図３及び図４は、この発明の第３実施例と第４実施例を示し、この実施例は、車間距離測定用レーダの使用周波数として想定される６０ＧＨｚ  と７６ＧＨｚ  とに対応できる電波吸収体の電波吸収性能〔ｄＢ〕の測定結果を示している。
【００１８】
図３に示す第３実施例は、基材（エポキシ樹脂）に配合する導電性酸化チタンの配合量は、４．９（ｐｈｒ）    、誘電体層２の厚さは、４．３４（ｍｍ）、光反射層５（住友スリーエム社製のスコッチライト（商標名）９８３−１０）の厚さは、０．４５ｍｍとしたものである。
【００１９】
図４に示す第３実施例は、基材（エポキシ樹脂）に配合する導電性酸化チタンの配合量は、９．１（ｐｈｒ）、ケッチェンブラックの配合量は、１．０（ｐｈｒ）、誘電体層２の厚さは、３．８５（ｍｍ）、光反射層５（住友スリーエム社製のスコッチライト（商標名）３９２４Ｇ）の厚さは、０．５５ｍｍとしたものである。
【００２０】
このような構成から成る第３実施例及び第４実施例の電波吸収体１の電波吸収性能を、反射電力法で５０〜１１０ＧＨｚ  において、入射角度４°、ＴＥ波（偏波）で測定した結果、図３及び図面４に示すような測定結果を得ることが出来た。即ち、図３及び図４から明らかなように、吸収性能の最大値を示す周波数に若干の差異があるももの、６０ＧＨｚ  と７６ＧＨｚ  との両周波数に対応した電波吸収性体を得ることが出来ることが確認できた。
【００２１】
上記電波吸収体を道路付帯設備としての道路標識、ガードレール、識別標識等に接着剤等を介して設置することが出来る。
【００２２】
以上のように、電波吸収層３の電波到来方向Ｘの表面層に光反射層５を設けたことにより、道路付帯設備としての道路標識等に、光の反射機能と電波吸収機能とを具備させることが可能となり、電波の散乱波による電波障害を有効に防止することが出来る。
【００２３】
【発明の効果】
この発明は、上記のように誘電体層と電波反射層とを積層させて電波吸収層を構成して成る電波吸収体において、電波吸収層の電波到来方向の表面層に光反射層を設けたので、例えば、道路付帯設備としての道路標識等に、光の反射機能と電波吸収機能とを具備させることが可能となり、電波の散乱波による電波障害を有効に防止することが出来る効果がある。
【図面の簡単な説明】
【図１】この発明を実施した電波吸収体の断面図である。
【図２】この発明の第１実施例及び第２実施例における電波吸収体の吸収性能の測定結果を示すグラフ説明図である。
【図３】この発明の第３実施例における電波吸収体の吸収性能の測定結果を示すグラフ説明図である。
【図４】この発明の第４実施例における電波吸収体の吸収性能の測定結果を示すグラフ説明図である。
【符号の説明】
１  電波吸収体                  ２  誘電体層
３  電波反射層                  ４  電波吸収層
５  光反射層                    Ｘ  電波到来方向
【図１】
2004278226.tif 000003
【図２】
2004278226.tif 000004
【図３】
2004278226.tif 000005
【図４】
2004278226.tif 000006